(57)【要約】【課題】マニュアル操作時に収納部材を半回転させても電気ケーブルが収納部材と接触しないようにして電気ケーブルの切断防止を図ったキャビネットの施解錠装置を提供すること。【解決手段】シリンダ錠８の回動軸１４と一体回動するハウジング１０に電動アクチュエータ１２が収容固定されてこの出力軸１７を駆動するとともに、この電動アクチュエータ１２が、ハウジング１０に形成した円周方向長孔１０ａを介して電気ケーブル１８ａ、１８ｂに接続されているので、ハウジング１０が回動しても電気ケーブル１８ａ、１８ｂがハウジング１０との直接接触を避けることができる。【選択図】　図３
2004107911.tif 000002
【特許請求の範囲】
【請求項１】
キー操作により回動するシリンダ錠と連接した電動アクチュエータへの電気信号により出力軸を駆動して施解錠を行うようにしたキャビネットの施解錠装置であって、
前記電動アクチュエータは、前記シリンダ錠の回動軸と一体回動する収容部材に収容固定され、該収納部材の回動で前記電動アクチュエータの出力軸を駆動するとともに、前記電動アクチュエータは前記収納部材に形成した円周方向長孔を介して電気ケーブルに接続されていることを特徴とするキャビネットの施解錠装置。
【請求項２】
前記円周方向長孔は前記収納部材が半回転しても直接電気ケーブルと該長孔が当接することがない長さである請求項１に記載のキャビネットの施解錠装置。
【請求項３】
前記電動アクチュエータと前記収納部材間に前記電気ケーブルを保護案内するキャップ体が挿入されている請求項１または２に記載のキャビネットの施解錠装置。
【請求項４】
前記キャップ体は、前記円周方向長孔の端部で前記電気ケーブルが円周方向に振れても干渉しない逃げ溝が構成されている請求項３に記載のキャビネットの施解錠装置。
【請求項５】
前記円周方向長孔から前記キャップ体に導入した電気ケーブルは、該キャップ体を通過し該長孔と直径方向に対向する側より導出した後折り返されて該電動アクチュエータ側に接続される請求項３または４に記載のキャビネットの施解錠装置。
【請求項６】
前記キャップ体は前記電動アクチュエータの端部に着脱自在に装着されている２つのキャップ片で構成されている請求項３ないし５のいずれかに記載のキャビネットの施解錠装置。
【発明の詳細な説明】
【０００１】
【発明の属する技術分野】
本発明は、キー操作により回動するシリンダ錠と連接した電動アクチュエータへの電気信号による出力軸を駆動して施解錠を行うようにしたキャビネットの施解錠装置に関する。
【０００２】
【従来の技術】
本出願人は図５に示すような、キー操作により回動するシリンダ錠と連接した電動アクチュエータを備えたキャビネットの施解錠装置を開発し、既に特願２００１−２８９４４０号として特許出願している。
【０００３】
図５はこのような施解錠装置の断面図であり、施解錠装置０１はシリンダ錠０２と、このシリンダ錠０２と連接した電動アクチュエータ０３で構成されている。シリンダ錠０２の後端側には、差込みキーの回動動作と連動する回動軸０４が突設しており、この回動軸０４に固着された収容部材である筒状のハウジング０５内には減速機付きモータを有する電動アクチュエータ０３が、ホルダ０６を介して複数のネジ０７により収容固定されている。
【０００４】
電動アクチュエータ０３には、駆動のための電気ケーブル０８の一端が収納部材０５に形成した円孔０５ａを通して接続されている。この収納部材０５内の後方端部側には、回動板０９ａと偏心軸０９ｂから成る偏心体０９が出力軸０１０に固着されている。
【０００５】
例えば、リモコン等による遠隔操作により電動アクチュエータ０３に電気ケーブル０８を介して電気信号が入力されると、偏心体０９が反時計回りに半回転毎に回動し、作動板０１１が後面板０１２と前面板０１３により構成される案内支持部に案内されて左行し、施錠動作が行われる。
【０００６】
電気的なトラブルが生じて施解錠が行われない状態となった時は、シリンダ錠０２にキーを差込み、マニュアルで例えば時計回りに強制回動させて収納部材０５を同方向に半回転すると、偏心軸０９ｂが時計回りに回動して作動板０１１が右行し解錠状態を得ることができる。
【０００７】
【発明が解決しようとする課題】
しかしながら、上記の施解錠装置０１は、マニュアル操作時に収納部材０５が半回転するため、電気ケーブル０８が収納部材０５に形成した円孔０５ａの動きにつれて引っ張られ、電気ケーブル０８が断線する恐れがあった。
【０００８】
本発明はこのような事情に鑑みてなされたもので、その目的とするところは、マニュアル操作時に収納部材を半回転させても電気ケーブルが収納部材と接触しないようにして電気ケーブルの切断防止を図ったキャビネットの施解錠装置を提供することを目的とする。
【０００９】
【課題を解決するための手段】
上記課題を解決するために、本発明のキャビネットの施解錠装置は、キー操作により回動するシリンダ錠と連接した電動アクチュエータへの電気信号により出力軸を駆動して施解錠を行うようにしたキャビネットの施解錠装置であって、　前記電動アクチュエータは、前記シリンダ錠の回動軸と一体回動する収容部材に収容固定され、該収納部材の回動で前記電動アクチュエータの出力軸を駆動するとともに、前記電動アクチュエータは前記収納部材に形成した円周方向長孔を介して電気ケーブルに接続されていることを特徴としている。
この特徴によれば、電気ケーブルが収納部材に形成した円周方向長孔を介して接続されているので、収納部材が回動しても電気ケーブルと直ちに接触することが避けられる。
【００１０】
本発明のキャビネットの施解錠装置において、前記円周方向長孔は前記収納部材が半回転しても直接電気ケーブルと該長孔が当接することがない長さであることが好ましい。
このようにすれば、施錠又は解錠方向に収納部材を半回転させても電気ケーブルが直接接触しないので断線の恐れがない。
【００１１】
本発明のキャビネットの施解錠装置において、前記電動アクチュエータと前記収納部材間に前記電気ケーブルを保護案内するキャップ体が挿入されていることが好ましい。
このようにすれば、電気ケーブルがキャップ内で保護案内されているので、収納部材内で電気ケーブルが絡まったりすることがない。
【００１２】
本発明のキャビネットの施解錠装置において、前記キャップ体は、前記円周方向長孔の端部で前記電気ケーブルが円周方向に振れても干渉しない逃げ溝が構成されていることが好ましい。
このようにすれば、逃げ溝が形成されているので、収納部材回動時にキャップ体内で電気ケーブルが拘束されることがない。
【００１３】
本発明のキャビネットの施解錠装置において、前記円周方向長孔から前記キャップ体に導入した電気ケーブルは該キャップ体を通過し該長孔と直径方向に対向する側より導出した後折り返されて該電動アクチュエータ側に接続されることが好ましい。
このようにすれば、円周方向長孔により電気ケーブルに力が掛かることがあっても、電気ケーブルが受ける捻りトルクを小さくすることができる。
【００１４】
本発明のキャビネットの施解錠装置において、前記キャップ体は前記電動アクチュエータの端部に着脱自在に装着されている２つのキャップ片で構成されていることが好ましい。
このようにすれば、電気ケーブルをキャップ体内に容易に案内保持することができる。
【００１５】
【発明の実施の形態】
以下、本発明の実施例を図面に基づいて説明する。図１〜図４は本発明の一実施形態を示すもので、図１の（ａ）は電子錠のキー差込み部を示す正面図、（ｂ）は電子錠の側面図、図２の（ａ）は電子錠の電動アクチュエータを示す一部を破断した平面図、（ｂ）は電子錠の偏心ピンを示す背面図、図３は電動アクチュエータの分解組立斜視図であり、図４は半回転させたキャップ体を上面から視た分解斜視図である。
【００１６】
図１、図２において、符号１は、キャビネット等の施・解錠装置としての電子錠であり、この電子錠１は、マニュアル操作により施・解錠を行う既存のシリンダ錠８と、このシリンダ錠８の先端に連結され電気的な操作で施・解錠を行う電動アクチュエータ１２とから構成されている。
【００１７】
シリンダ錠８の後端側には、差込みキーの回動動作と連動する回動軸１４が突設しており、この回動軸１４には収容部材である円筒状ハウジング１０の前端が嵌合孔１０ｂを介して固着され、このハウジング１０内には減速機付きモータを有する電動アクチュエータ１２が、キャップ状のホルダ１３を介して上下一対の取付ネジ９により収容固定されている。
【００１８】
ハウジング１０の前端側側面には円周方向長孔１０ａが形成されており、ハウジング１０内に収容固定された電動アクチュエータ１２の前端には、円周方向長孔１０ａから導入した一対の電気ケーブル１８の一端が接続されている。
【００１９】
また、ハウジング１０内の後方端部には、回動板１５と偏心軸１６から成る偏心体２０が電動アクチュエータ１２の出力軸１７に固着されている。
【００２０】
キャップ体は、２つのキャップ片２２、２４から構成されており、一方のキャップ片２２は、図３、図４に示すように長円形断面で形成された電動アクチュエータ１２の前端に着脱自在に装着するための有底の長円開口が形成され、その他端側外周には電気ケーブル１８を外部に導出するための挿通口２５が形成されている。
【００２１】
更に、キャップ片２２の前端側端面には、図４に示すように、このキャップ片２２の軸心を水平に横切る段差の上部に半円形状の平坦な逃げ溝２２ｃが形成され、段差の下部には挿通口２５から半円形状の逃げ溝２２ｃに連通するケーブル案内溝Ｇが一対の扇形島部２２ａ、２２ｂによって挟まれるように形成されている。
【００２２】
また、他方のキャップ片２４（図３参照）は、合成樹脂等（例えばＡＢＳ樹脂）によりキャップ片２２の外径と略同一径の円板状に形成されると共に、下方に一対の電気ケーブル１８ａ、１８ｂを逃がすための円弧状の切欠き溝２４ａがキャップ片２２の後端側端面に接合配置されている。
【００２３】
次に、電子錠の組立手順に付き図３及び図４を参照して説明する。
【００２４】
先ず、電動アクチュエータ１２前端に接続された下方に向く一対の電気ケーブル１８ａ、１８ｂを一方のキャップ片２２下方の挿通口２５（図４参照）より通過したのち折り返し、ケーブル案内溝Ｇ内を挿通させて半円形状の逃げ溝２２ｃに導出させる。
【００２５】
次いで、一方のキャップ片２２を電動アクチュエータ１２前端に装着して、下方から上方に向けて折り返された一対の電気ケーブル１８ａ、１８ｂに切欠き溝２４ａを対応させて他方のキャップ片２４をキャップ片２２の扇形島部２２ａ、２２ｂ端面に接合する。
【００２６】
さらに、電動アクチュエータ１２の後方に設けられた円筒状の減速装置１２ａ外周にキャップ状のホルダ１３装着すると共に、このホルダ１３の後端面を挿通した電動アクチュエータ１２の出力軸１７に嵌合孔１５ａを介して偏心体２０を挿通固定する。
【００２７】
このように、先端にキャップ体組み付けられた電動アクチュエータ１２は、電気ケーブル１８を円周方向長孔１０ａから導出するようにしてハウジング１０内部に挿入され、その後端部において取付けネジ９を介してハウジング１０とホルダ１３が一体連結される。
【００２８】
次に、上記のように組み立てられた電子錠１を構成するハウジング１０前端の嵌合孔１０ｂに、シリンダ錠８後端側の回動軸１４を固着することで、施解錠装置としての電子錠１の組立が完成する。
【００２９】
このようにして組み立てられた電子錠１は、電動アクチュエータ１２をリモコン等による遠隔操作により電気ケーブル１８ａ、１８ｂを介して回動させて、偏心体２０を反時計回りに半回転することにより、例えば偏心軸１６に係合可能な図示しない長孔を有する作動板が、後面板と前面板により構成される案内支持部に案内されて直線方向一方に移動して施錠動作が行われる。
【００３０】
また、電気的なトラブルが生じて施錠状態で作動しなくなった時は、シリンダ錠８に図示しないキーを差込み、マニュアルで例えば時計回りに強制回動させてハウジング１０を同方向に半回転させると、偏心軸１６が時計回りに回動して作動板が右行し解錠状態を得ることができる。
【００３１】
従って、上記のように構成された施錠装置によれば、電動アクチュエータ１２は、シリンダ錠８の回動軸１４と一体回動するハウジング１０に収容固定され、この電動アクチュエータ１２の出力軸１７を駆動するとともに、電動アクチュエータ１２がハウジング１０に形成した円周方向長孔１０ａを介して電気ケーブル１８ａ、１８ｂに接続されているので、ハウジング１０が回動しても電気ケーブル１８ａ、１８ｂがハウジング１０と直ちに接触することが避けられる。
【００３２】
万一、円周方向長孔１０ａにより電気ケーブル１８が円周方向に引っ張られても、円周方向長孔１０ａに対して直径方向に対向する側を経て電動アクチュエータ１２に接続されているから、電気ケーブル１８にかかる捻りトルクは小さい。
【００３３】
また、円周方向長孔１０ａを、ハウジング１０が半回転しても直接電気ケーブル１８ａ、１８ｂと当接することがない長さとすれば、電気ケーブル１８ａ、１８ｂが直接接触しないので断線の恐れがない。
【００３４】
更に、電動アクチュエータ１２とハウジング１０間に、電気ケーブル１８ａ、１８ｂを保護案内する一対のキャップ片２２、２４からなるキャップ体が挿入されているので、ハウジング１０内で電気ケーブル１８ａ、１８ｂが絡まったりすることがない。
【００３５】
そして、上記キャップ体は、円周方向長孔１０ａの端部で電気ケーブル１８ａ、１８ｂが円周方向に振れても干渉しない逃げ溝２２ｃが形成されているので、ハウジング１０回動時にキャップ体内で電気ケーブル１８ａ、１８ｂが拘束されることがない。
【００３６】
そしてまた、円周方向長孔１０ａからキャップ体に導入した電気ケーブル１８ａ、１８ｂが、このキャップ体を通過して上記円周方向長孔１０ａと直径方向に対向する部分より導出した後、折り返されてこの電動アクチュエータ１２側に接続されているので、円周方向長孔１０ａにより電気ケーブル１８ａ、１８ｂが引っ張られることがあっても、電気ケーブル１８ａ、１８ｂが受ける捻りトルクを小さくすることができる。
【００３７】
さらに、キャップ体は、電動アクチュエータ１２の端部に着脱自在に装着されている２つのキャップ片２２、２４で構成されているので、電気ケーブル１８ａ、１８ｂをキャップ体内で容易に案内保持することができる。
【００３８】
【発明の効果】
本発明は以下の効果を奏する。
【００３９】
（ａ）請求項１項の発明によれば、電気ケーブルが収納部材に形成した円周方向長孔を介して接続されているので、収納部材が回動しても電気ケーブルと直ちに接触することが避けられる。
【００４０】
（ｂ）請求項２項の発明によれば、施錠又は解錠方向に収納部材を半回転させても電気ケーブルが直接接触しないので断線の恐れがない。
【００４１】
（ｃ）請求項３項の発明によれば、電気ケーブルがキャップ内で保護案内されているので、収納部材内で電気ケーブルが絡まったりすることがない。
【００４２】
（ｄ）請求項４項の発明によれば、逃げ溝が形成されているので、収納部材回動時にキャップ体内で電気ケーブルが拘束されることがない。
【００４３】
（ｅ）請求項５項の発明によれば、円周方向長孔により電気ケーブルに力が掛かることがあっても、電気ケーブルが受ける捻りトルクを小さくすることができる。
【００４４】
（ｆ）請求項６項の発明によれば、電気ケーブルをキャップ体内に容易に案内保持することができる。
【図面の簡単な説明】
【図１】本発明の一実施形態を示すものであって、（ａ）は電子錠のキー差込み部を示す正面図、（ｂ）は電子錠の側面図である。
【図２】（ａ）は電子錠の電動アクチュエータを示す一部を破断した平面図、（ｂ）は電子錠の偏心ピンを示す背面図である。
【図３】電動アクチュエータの分解組立斜視図である。
【図４】半回転させたキャップ体を上面から視た分解斜視図である。
【図５】従来の施解錠装置の要部断面図である。
【符号の説明】
１　　　　　　　　　　電子錠（施・解錠装置）
８　　　　　　　　　　シリンダ錠
９　　　　　　　　　　取付ネジ
１０　　　　　　　　　ハウジング（収納部材）
１０ａ　　　　　　　　円周方向長孔
１０ｂ　　　　　　　　嵌合孔
１２　　　　　　　　　電動アクチュエータ
１２ａ　　　　　　　　減速装置
１３　　　　　　　　　ホルダ
１４　　　　　　　　　回動軸
１５　　　　　　　　　回動板
１５ａ　　　　　　　　嵌合孔
１６　　　　　　　　　偏心軸
１７　　　　　　　　　出力軸
１８、１８ａ、１８ｂ　電気ケーブル
２０　　　　　　　　　偏心体
２２　　　　　　　　　キャップ片
２２ａ、２２ｂ　　　　扇形島部
２２ｃ　　　　　　　　逃げ溝
２４　　　　　　　　　キャップ片
２４ａ　　　　　　　　切欠き溝
２５　　　　　　　　　挿通口
Ｇ　　　　　　　　　　ケーブル案内溝
【図１】
2004107911.tif 000003
【図２】
2004107911.tif 000004
【図３】
2004107911.tif 000005
【図４】
2004107911.tif 000006
【図５】
2004107911.tif 000007